(57)【要約】      （修正有）【課題】発熱部品等の放熱のための効率の良い基板配置構造を提供する。【解決手段】ＭＰＥＧ基板６及びノイズ防止用のシールド７の上方且つ間隙を有し、積層状となるように電源基板８を配置し、その前方に脚部を有するＤＶＤユニット９を配置する。冷却ファン５は、ＤＶＤユニット９の底面の延長上と回転軸が重なるように位置決めすることにより、ＤＶＤユニット９の下部から電源基板８上方及び前記間隙を通り冷却ファン５へと続く導風路を形成することができる。更に電源基板８が有する発熱部品であるスイッチングトランス８１やＩＣ８２が、冷却ファン５の左右端部の延長線の内側となるように配置することにより、前記導風路からの冷却風を発熱部品に効率よく当てることができる。【選択図】図５
2007227858.tif 000002
【特許請求の範囲】
【請求項１】
記録媒体の再生若しくは記録及び再生を行う記録再生ユニットと、
記録媒体から得る映像信号の復号化や記録媒体に記録する映像信号の符号化を行う映像音声基板と、
前記記録再生ユニット及び前記映像音声基板に電源を供給する電源基板と、
前記記録再生ユニット、前記映像音声基板及び前記電源基板の放熱を促すための冷却ファンを備える電子装置において、
前記記録再生ユニットを、前記記録再生ユニット下部に中空部を形成するように配置し、
前記電源基板を、少なくとも前記記録再生ユニットの後方且つ前記記録再生ユニットの底面より下方に配置し、
前記映像音声基板を、少なくとも前記記録再生ユニットの後方且つ前記電源基板の底面より下方に配置し、
前記電源基板と前記映像音声基板を積層状に配置したことを特徴とする放熱効率の高い基板配置構造を備えた電子機器。
【請求項２】
前記冷却ファンは、前記電源基板の盤面の延長面上に配置したことを特徴とする請求項１に記載の放熱効率の高い基板配置構造を備えた電子機器。
【請求項３】
前記冷却ファンは、前記電源基板の盤面の延長面上により、前記冷却ファンの送風方向に対して垂直な面を、上方と下方に二分するよう設置したことを特徴とする請求項１又は２に記載の放熱効率の高い基板配置構造を備えた電子機器。
【請求項４】
前記電源基板に搭載する発熱部品は、前記冷却ファンの左右端部の延長線上の内側にとなるよう位置決めしたことを特徴とする請求項１乃至３の何れか１項に記載の放熱効率の高い基板配置構造を備えた電子機器。
【発明の詳細な説明】
【技術分野】
【０００１】
本発明は、記録媒体の記録再生を行う電子機器において、電子機器内部に備える記録再生ユニット、映像音声基板、電源基板、及び冷却ファンの配置関係による放熱効率の高い基板配置構造を備えた電子機器に関する。
【背景技術】
【０００２】
従来、多くの電子装置には、装置内部の電子部品や回路基板、及び電源などの熱源に対して、熱による電子部品の劣化を防止するために、冷却のための構造を備えている。例えば、特許文献１では、機能別に構成した複数の回路基板を間隙を保って積層状且つ冷却ファンの送風方向に平行となるように配置するプロジェクター装置の構造が開示されている。
【０００３】
また、従来からある一般的な記録媒体の記録及び再生を行う電子装置の基板配置構造は、図７及び８に示すように、ＭＰＥＧ基板６００及び電源基板８００などの、各基板から発せられるノイズによる相互の干渉を、各基板を遠ざけることで防ぐため、記録再生ユニット９００の下方に配置し、また、冷却風の流れをよくするために、冷却ファン５００の前に障害物となるような部品及び基板を配置しないような基板配置構造が採用されていた。
【０００４】
【特許文献１】特開２００３−３１５９１８号公報
【発明の開示】
【発明が解決しようとする課題】
【０００５】
しかしながら、特許文献１の方法は、プロジェクターに特化した構成となっており、ＤＶＤ記録再生装置等の記録媒体への記録再生ユニットを備える電子機器を想定したものではなく、この発明を記録再生ユニットを備える電子機器に適用することは困難である。
【０００６】
また、図７及び図８に示すような基板配置構造では、記録再生ユニット９００の下方をＭＰＥＧ基板６００及びシールド７００により閉塞した空間としてしまい、ＭＰＥＧ基板６００から発せられる熱が篭ってしまう欠点があった。また、冷却ファン５００による発生する冷却風を、ＭＰＥＧ基板６００及びシールド７００により遮られ、発熱部品を多数搭載する電源基板８００に十分に送り、触れさせることができず、放熱効率はそれほど向上させることができなかった。
【０００７】
本発明は上記課題を鑑みてなされたものであり、少ない回路基板や部品の配置において、装置内部の風量のバランスを向上させ、全ての基板の放熱効率を向上することができる、放熱効率の高い基板配置構造を備えた電子機器を提供することを目的とする。
【課題を解決するための手段】
【０００８】
請求項１に係る放熱効率の高い基板配置構造を備えた電子機器は、記録媒体の再生若しくは記録及び再生を行う記録再生ユニットと、
記録媒体から得る映像信号の復号化や記録媒体に記録する映像信号の符号化を行う映像音声基板と、
前記記録再生ユニット及び前記映像音声基板に電源を供給する電源基板と、
前記記録再生ユニット、前記映像音声基板及び前記電源基板の放熱を促すための冷却ファンを備える電子装置において、
前記記録再生ユニットを、前記記録再生ユニット下部に中空部を形成するように配置し、
前記電源基板を、少なくとも前記記録再生ユニットの後方且つ前記記録再生ユニットの底面より下方に配置し、
前記映像音声基板を、少なくとも前記記録再生ユニットの後方且つ前記電源基板の底面より下方に配置し、
前記電源基板と前記映像音声基板を積層状に配置したことを特徴とする。
【０００９】
請求項１の構成によれば、ＤＶＤ（Ｄｉｇｉｔａｌ  Ｖｉｒｓａｔｉｌｅ  Ｄｉｓｋ）やＣＤ（Ｃｏｍｐａｃｔ  Ｄｉｓｋ）等の記録媒体を再生する電子機器において、前記記録媒体を再生する記録再生ユニットを、電子装置の前方に配置すると共に下部に空洞ができるように脚部若しくはシャーシに直接取り付けるなどを行い、記録再生ユニット後方且つ前記空洞の延長上に、上から電源基板、映像音声基板の順に積層状に配置する。即ち、空気の流れる経路を、記録再生ユニットの下から電子基板の上を通る経路とすることで、効率的な空気の流れを生むことができる。
【００１０】
請求項２に係る放熱効率の高い基板配置構造を備えた電子機器は、請求項１に記載の放熱効率の高い基板配置構造を備えた電子機器において、前記冷却ファンは、前記電源基板の盤面の延長面上に配置したことを特徴とする。
【００１１】
請求項２の構成によれば、冷却ファンを電源基板の盤面の延長上に配置することにより、記録再生ユニット下部を流れる空気を、効率よく電源基板に向けることができる。
【００１２】
請求項３に係る放熱効率の高い基板配置構造を備えた電子機器は、請求項１又は２に記載の放熱効率の高い基板配置構造において、前記冷却ファンは、前記電源基板の盤面の延長面上により、前記冷却ファンの送風方向に対して垂直な面を、上方と下方に二分するよう設置したことを特徴とする。
【００１３】
請求項３の構成によれば、冷却ファンの取り付け位置を、電源基板の延長面上により上方と下方に二分し、その分割比により、電源基板の上面及び下面に流れる風量を調整することができ、より大きな放熱効率を得ることができる。
【００１４】
請求項４に係る放熱効率の高い基板配置構造を備えた電子機器は、請求項１乃至３の何れか１項に記載の放熱効率の高い基板配置構造を備えた電子機器において、前記電源基板に搭載する発熱部品は、前記冷却ファンの左右端部の延長線上の内側にとなるよう位置決めした特長とする。
【００１５】
請求項４の構成によれば、電源基板に搭載する発熱部品の取り付け位置を、冷却ファンの左右端部の延長線上の内側に配置することで、発熱部品の効率的な冷却を行うことができる。
【発明の効果】
【００１６】
請求項１に係る放熱効率の高い基板配置構造を備えた電子機器は、
記録媒体の再生若しくは記録及び再生を行う記録再生ユニットと、
記録媒体から得る映像信号の復号化や記録媒体に記録する映像信号の符号化を行う映像音声基板と、
前記記録再生ユニット及び前記映像音声基板に電源を供給する電源基板と、
前記記録再生ユニット、前記映像音声基板及び前記電源基板の放熱を促すための冷却ファンを備える電子装置において、
前記記録再生ユニットを、前記記録再生ユニット下部に中空部を形成するように配置し、
前記電源基板を、少なくとも前記記録再生ユニットの後方且つ前記記録再生ユニットの底面より下方に配置し、
前記映像音声基板を、少なくとも前記記録再生ユニットの後方且つ前記電源基板の底面より下方に配置し、前記電源基板と前記映像音声基板を積層状に配置したので、記録再生ユニットの前面から記録再生ユニットの下部を通り、電源基板の上面及び電源基板と映像音声基板の間隙を抜ける通風ルートができ、これにより記録再生ユニット、電源基板、映像音声基板の３種への十分な冷却効果を発揮することができる。
【００１７】
請求項２に係る放熱効率の高い基板配置構造を備えた電子機器は、請求項１に記載の放熱効率の高い基板配置構造を備えた電子機器において、前記冷却ファンは、前記電源基板の盤面の延長面上に配置したので、冷却ファンにより発生する送風ルートを、電源基板の上面及び下面を確実に通すことができ、電源基板の放熱効率を向上させることができる。
【００１８】
請求項３に係る放熱効率の高い基板配置構造を備えた電子機器は、請求項１又は２に記載の放熱効率の高い基板配置構造において、前記冷却ファンは、前記電源基板の盤面の延長面上により、前記冷却ファンの送風方向に対して垂直な面を、上方と下方に二分するよう設置し、その上下の比率を調整することで、電源基板における発熱部品の配置が主となる面に対して、風量を多く回すことができ、より効率的な電源基板の放熱を行うことができる。
【００１９】
請求項４に係る放熱効率の高い基板配置構造を備えた電子機器は、請求項１乃至３の何れか１項に記載の放熱効率の高い基板配置構造を備えた電子機器において、前記電源基板に搭載する発熱部品は、前記冷却ファンの左右端部の延長線上の内側にとなるよう位置決めしたので、最も風量の多い送風ルートたる冷却ファンの左右端部の延長線上の内側に、電源基板の発熱部品を配置することにより、より効率的な電源基板の放熱を行うことができる。
【発明を実施するための最良の形態】
【００２０】
以下、本発明を実施するための最良の形態としての実施例を図１から図６を参照して説明する。もちろん、本発明は、その発明の趣旨に反さない範囲で、実施例において説明した以外のものに対しても容易に適用可能なことは説明を要するまでもない。
【００２１】
図１〜図６は、本発明の実施例を示し、図１は、本実施例における電子装置を示す斜視図である。図２は、電子装置のシャーシにＭＰＥＧ基板、シールド、及び冷却ファンを取り付ける前の状態を示す一部切り欠き斜視図である。図３は、図２に示す電子装置に電源基板を取り付ける前の状態を示す一部切り欠き斜視図である。図４は、図３に示す電子装置にＤＶＤユニットを取り付ける前の状態を示す一部切り欠き斜視図である。図５は、電子装置内部の風向を概念的に示す側面図であり、図６は、図５に示す電子装置の上面図である。
【００２２】
本実施例における電子装置の構成について、図１〜図５に基づいて説明する。１は電子装置たるＤＶＤ再生装置である。２は装置の外観を構成するキャビネットであり、３は操作ボタン等を有するフロントパネルである。４は、回路基板等を取り付けるシャーシである。５は装置内部を冷却するための冷却ファンである。６は映像音声基板たるＭＰＥＧ基板であり、７はＭＰＥＧ基板６が発するノイズが他の部品に干渉することを防ぐためのシールドである。８は電子機器に電源を供給する電源基板であり、９は記録媒体たるＤＶＤの記録及び再生を行うためのＤＶＤユニットであり、取付時に下部に空洞ができるように取付脚部を有する。１０はＭＰＥＧ基板６とＤＶＤユニット９を接続するためのケーブルである。
【００２３】
続いて、本実施例の各種基板の取付手順について、図２〜図６に基づいて説明する。図２はシャーシ４に冷却ファン５、ＭＰＥＧ基板６及びシールド７を取り付ける前の状態を示している。冷却ファン５は、シャーシ４の背面に形成された取付部４１に取り付ける。冷却ファン５の前方にＭＰＥＧ基板６を配置し、それを覆うようにシールド７を取り付ける。図３は、電源基板８を取り付ける前の状態を示している。シールド７の上部に、積層状に電源基板８を取り付ける。図４はＤＶＤユニット９を取り付ける前の状態を示している。積層状に取り付けられたＭＰＥＧ基板６、シールド７、電源基板８の前方のスペースに、脚部を有する高床式のＤＶＤユニット９を取り付ける。この状態の簡略化し概念図としたものが図５である。図５に示すように、冷却ファン５の中心、即ちファンの回転軸５１をＤＶＤユニット９の底面の延長線上に位置決めされると共に、電源基板８の盤面の延長を少なくとも回転軸５１より下方、即ちａ＞ｂとなるよう、それぞれの回路基板や電子部品が配置される。
【００２４】
以上のように構成されるＤＶＤ再生装置１において、ＤＶＤユニット９の下方から電源基板８の上方及び電源基板８とＭＰＥＧ基板６の間隙を通り、冷却ファン５を通り抜ける導風路を形成することができる。この導風路により、ＭＰＥＧ基板７、電源基板８、ＤＶＤユニット９に対する冷却効果を高めることができる。また、図５に示すように、電源基板８の盤面の延長を少なくとも回転軸５１より下方となるよう、即ち図５でいうａ＞ｂとなるような配置とすると共に、図６に示すように電源基板８が備える放熱板８１や、ＩＣ８２などの発熱部品の取付位置を冷却ファン５の左右端部の延長線上の内側とすることで、より多くの風量を発熱部品に送ることができ、効率の良い放熱構造を実現することができる。
【００２５】
以上、本発明の実施例を詳述したが、本発明は前記実施例に限定されるものではなく、本発明の要旨の範囲内で種々の変形実施が可能である。例えば、電子機器をＤＶＤ再生装置として説明したが、これに限定せずに種々の記録媒体を用いる記録及び再生装置としても何ら問題はない。また、ＤＶＤユニットは取付脚部を有するとしたが、ＤＶＤユニット下部に空洞ができるよう、浮かせてシャーシに固定してもよい。また、映像音声基板をＭＰＥＧ基板としたが、これに限定せずに他の符号化形式を用いる映像音声基板としても何ら問題は無い。また電源基板８の盤面の延長を少なくとも回転軸５１より下方となるようにするとしたが、これに限定せず、ＤＶＤユニットの上下に空間があり、冷却風の導風路が２つ形成されるような場合は、電源基板の盤面の延長を回転軸５１より上方にし、映像音声基板を回転軸５１より下方にするという構成としてもよい。
【図面の簡単な説明】
【００２６】
【図１】本発明の実施例における、ＤＶＤ再生装置を示す斜視図である。
【図２】同上、シャーシに冷却ファン、ＭＰＥＧ基板及びシールドを取り付ける手順を示すＤＶＤ再生装置の一部切り欠き斜視図である。
【図３】同上、シールド上に電源基板を積層状に取り付ける手順を示すＤＶＤ再生装置の一部切り欠き斜視図である。
【図４】同上、積層状に配置された各基板の前方にＤＶＤユニットを取り付ける手順を示す一部切り欠き斜視図である。
【図５】同上、各基板及びＤＶＤユニットを取り付けた状態における風向を概念的に示す側面図である。
【図６】同上、各基板及びＤＶＤユニットを取り付けた状態における風向を概念的に示す上面図である。
【図７】従来の電子装置の基板配置構造を示す側面図である。
【図８】従来の電子装置の基板配置構造を示す上面図である。
【符号の説明】
【００２７】
１    ＤＶＤ再生装置（電子装置）
２    キャビネット
３    フロントパネル
４    シャーシ
５    冷却ファン
５１  回転軸
６    ＭＰＥＧ基板（映像音声基板）
７    シールド
８    電源基板
８１  放熱板（発熱部品）
８２  ＩＣ（発熱部品）
９    ＤＶＤユニット（記録再生ユニット）
【図１】
2007227858.tif 000003
【図２】
2007227858.tif 000004
【図３】
2007227858.tif 000005
【図４】
2007227858.tif 000006
【図５】
2007227858.tif 000007
【図６】
2007227858.tif 000008
【図７】
2007227858.tif 000009
【図８】
2007227858.tif 000010